(57)【要約】【課題】不良研磨を生じさせずに、効率的に歯科用補綴物を研磨できる装置及び方法を提供する。【解決手段】ロストワックス法によって鋳造したものであって、底面、及び底面の外周縁から先細り状にのびる斜面、及び斜面に接続する上面を有する塊状の土台と、土台の上面に植立された複数本のスプルー線部分と、スプルー線部分の先端に接続された歯科用補綴物とからなる少なくとも１つの鋳造物３０を、中心軸を有する鋳造物装着体９に対し、土台またはスプルー線部分において、歯科用補綴物が装着手段から突き出すように固定した後、鋳造物を、一端開口が閉じられた筒状又は角筒状を有し、内部が研磨材Ｇで満たされた研磨槽１内に埋没させ、かつ鋳造物装着体および研磨槽の中心軸同士を一致させた状態で、鋳造物装着体及び研磨槽を当該中心軸のまわりに相対的に回転運動させ、この回転運動の間に、歯科用補綴物を研磨材によって研磨する。【選択図】図１
2014087390.tif 000002
【特許請求の範囲】
【請求項１】
ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、
下端開口が閉じられた筒状または角筒状に形成され、内部が研磨材で満たされた研磨槽と、
前記研磨槽の外側に配置されたフレームと、
前記研磨槽の上端開口を開閉し得る蓋体と、
円柱状または角柱状に形成され、その中心軸を前記研磨槽の中心軸に一致させた状態で前記フレームに支持されるとともに、前記研磨槽が前記蓋体によって閉じられた状態で、前記蓋体に形成された開口から前記研磨槽内にのびて、その一部が前記研磨材中に埋没する鋳造物装着体と、
前記蓋体または前記フレームまたはその両方に設けられ、前記研磨槽が前記蓋体によって閉じられた状態で、前記研磨槽および前記鋳造物装着体を前記中心軸のまわりに相対的に回転運動させる回転駆動機構と、
前記鋳造物装着体の前記一部の外周面に設けられ、前記鋳造物を、前記土台および／または前記スプルー線部分において固定するための少なくとも１つの鋳造物固定手段と、を備えたものであることを特徴とする装置。
【請求項２】
ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、
下端開口が閉じられた筒状または角筒状に形成され、内部が研磨材で満たされた研磨槽と、
前記研磨槽の上端開口を開閉し得る蓋体と、
円柱状または角柱状に形成され、前記蓋体に取り付けられて前記蓋体の裏面から突出する鋳造物装着体と、を備え、前記鋳造物装着体は、その中心軸のまわりに回転可能になっているとともに、前記研磨槽が前記蓋体によって閉じられた状態で、前記研磨槽と同軸に配置され、かつ前記鋳造物装着体の一部が前記研磨材中に埋没するようになっており、
前記蓋体に設けられ、前記鋳造物装着体をその中心軸のまわりに回転運動させる回転駆動機構と、
前記鋳造物装着体の前記一部の外周面に設けられ、前記鋳造物を、前記土台および／または前記スプルー線部分において固定するための少なくとも１つの鋳造物固定手段と、を備えたものであることを特徴とする装置。
【請求項３】
前記鋳造物固定手段は、
少なくとも１対の平行な対辺を有する平板状の底壁、および前記底壁の前記平行な対辺のそれぞれに沿って設けられ、前記底壁の上面から起立した平板状の側壁からなる本体を備え、
前記本体の一方の前記側壁には、前記底壁の上面に平行にのびるネジ穴が設けられ、他方の前記側壁は、少なくとも、前記底壁の上面から前記鋳造物の前記土台の高さに対応する高さまでの領域において、前記底壁に対し前記一方の側壁に臨む方向に鋭角をなして傾斜しており、さらに、
前記ネジ穴に螺合するボルトと、
前記ボルトの先端に前記ボルトの回転運動が伝達しないように取り付けられた拘束部材と、を備え、
前記拘束部材は、前記他方の側壁の幅方向にのびる細長い板状または棒状部分と、前記板状または棒状部分の前記他方の側壁に対向する面にその長さ方向に間隔をあけて設けられ、前記鋳造物の前記スプール線部分の間に差し込まれる楔状または針状部分とからなり、前記鋳造物が前記土台の底面を下にして前記本体の底壁上に置かれた状態で、前記ボルトがねじ込まれ、前記鋳造物が、前記スプルー線部分および前記土台を、前記スプルー線部分の間に差し込まれた前記拘束部材と、前記他方の側壁との間にクランプされることにより、前記鋳造物装着体に固定されることを特徴とする請求項１または請求項２に記載の装置。
【請求項４】
前記鋳造物固定手段は、
少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、前記底壁に対し前記一方の側壁に臨む方向に鋭角をなして傾斜しており、さらに、
前記ネジ穴に螺合するボルトを備え、
前記鋳造物が前記土台の底面を下にして前記鋳造物固定手段の前記本体の前記底壁上に置かれた状態で前記ボルトがねじ込まれ、前記鋳造物が、前記土台を前記他方の側壁と前記ボルトとの間にクランプされることにより、前記鋳造物装着体に固定されることを特徴とする請求項１または請求項２に記載の装置。
【請求項５】
ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置の鋳造物装着部に取り付けて使用される鋳造物固定用アタッチメントであって、
少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、少なくとも、前記底壁の上面から前記鋳造物の前記土台の高さに対応する高さまでの領域において、前記底壁に対し前記一方の側壁に臨む方向に鋭角をなして傾斜しており、さらに、
前記ネジ穴に螺合するボルトと、
前記ボルトの先端に前記ボルトの回転運動が伝達しないように取り付けられた拘束部材と、
前記本体の前記底壁の下面に設けられた、前記研磨する装置の前記鋳造物装着部に対する取付部と、を備え、
前記拘束部材は、前記他方の側壁の幅方向にのびる細長い板状または棒状部分と、前記板状または棒状部分の前記他方の側壁に対向する面にその長さ方向に間隔をあけて設けられ、前記鋳造物の前記スプール線部分の間に差し込まれる楔状または針状部分とからなり、
前記取付部において前記鋳造物装着部に取り付けられた後、前記鋳造物が前記土台の底面を下にして前記本体の底壁上に置かれた状態で前記ボルトがねじ込まれ、前記鋳造物が、前記スプルー線部分および前記土台を、前記スプルー線部分の間に差し込まれた前記拘束部材と、前記他方の側壁との間にクランプされることにより、前記鋳造物装着部に固定されるものであることを特徴とする鋳造物固定用アタッチメント。
【請求項６】
ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置の鋳造物装着部に取り付けて使用される鋳造物固定用アタッチメントであって、
少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、前記底壁に対し前記一方の側壁に臨む方向に鋭角をなして傾斜しており、さらに、
前記ネジ穴に螺合するボルトと、
前記本体の前記底壁の下面に設けられた、前記研磨する装置の前記鋳造物装着部に対する取付部と、を備え、
前記取付部において前記鋳造物装着部に取り付けられた後、前記鋳造物が前記土台の底面を下にして前記鋳造物固定手段の前記本体の前記底壁上に置かれた状態で前記ボルトがねじ込まれ、前記鋳造物が、前記土台を前記他方の側壁と前記ボルトとの間にクランプされることにより、前記鋳造物装着部に固定されるものであることを特徴とする鋳造物固定用アタッチメント。
【発明の詳細な説明】
【技術分野】
【０００１】
本発明は、クラウン、インレー、ブリッジおよびクラスプ等の歯科用補綴物を研磨するための装置に関するものである。
【背景技術】
【０００２】
一般に、欠損した歯の修復には、当該欠損部をクラウン、インレー、ブリッジおよびクラスプ等の歯科用補綴物によって置き換える方法が用いられている。そして、これらの歯科用補綴物は、主として、ロストワックス法に従って鋳造される。
【０００３】
ロストワックス法によれば、まず、印象材を用いて歯の修復箇所の型が取られ、この型に石膏等の模型材が流し込まれた後、硬化され、模型が作製される。次いで、この模型上において、ワックスを用いて鋳造原型（ワックスパターン）が形成される。そして、ワックスパターンにスプルー線（ワックス）が焼き付けられる。
【０００４】
続いて、円錐台が用意され、円錐台には、スプルー線が焼き付けられたワックスパターンが、円錐台の上面に盛られたワックスを介して植立された後、焼き付けられる。この場合、生産効率を上げるため、できるだけ多くのワックスパターンが円錐台に植立されることが好ましい。次いで、円錐台に円筒状の鋳造リングが取り付けられて型枠が形成され、型枠内に埋没材が流し込まれて、ワックスパターンが埋没される。埋没材の硬化後、円錐台が取り外され、鋳造リングが装着された状態で埋没材が電気炉で加熱される。
【０００５】
この加熱によって、ワックスが溶融し、ワックスパターンとスプルー線の領域が空洞となって、埋没材内に鋳型が形成される。そして、鋳型が加熱されて所定温度に維持された状態で、溶融金属が鋳型内に注ぎ込まれ、その後、金属が冷却されて固化した時点で、ハンマー等によって埋没材が壊され、内部の鋳造物が取り出される。
【０００６】
図７は、こうして製造された鋳造物を例示した斜視図であり、（Ａ）は歯科用補綴物がクラスプである場合の鋳造物を示し、（Ｂ）は歯科用補綴物がクラウンである場合の鋳造物を示す。
図７に示すように、鋳造物３０は、底面３１ａ、および底面３１ａの外周縁から上向きに先細り状にのびる斜面３１ｂ、および斜面３１ｂに接続する上面３１ｃを有する塊状の土台３１と、土台３１の上面３１ｃに植立された複数本のスプルー線部分３２と、スプルー線部分３２の先端に接続された歯科用補綴物３３とからなっている。
【０００７】
そして、この鋳造物３０から歯科用補綴物３３が１つずつ切り取られ、研磨されることによって、歯科用補綴物３３の完成品が作製される。
ところで、この研磨は、熟練者が、切り取った歯科用補綴物３３を手で持ち、手持ちモータやレーズ（据え置き型モータ）の先に研磨用の工具を取り付けて行っていた。
しかし、この研磨方法では、かなりの熟練が必要とされ、しかも生産性が悪いという問題があった。
【０００８】
そこで、歯科用補綴物を人手によらず自動的に行うべく、歯科用補綴物の研磨装置がこれまでにいくつか提案されている（例えば、特許文献１〜３参照）。
これらの研磨装置は、いずれも、研磨すべき歯科用補綴物を１つずつ研磨装置の被研磨物装着部に固定した後、被研磨物装着部を、研磨槽に対し、歯科用補綴物が研磨槽の研磨材中に埋没するように配置し、被研磨物装着部と研磨槽を相対的に回転運動させることにより、あるいは、この回転運動と同時に歯科用補綴物をその固定位置において回転運動させることにより、歯科用補綴物を研磨材によって研磨する構成となっている。
【０００９】
そして、研磨すべき歯科用補綴物の被研磨物装着部への固定は、歯科用補綴物に対し、ピンまたはビス等の棒状の支持部材を樹脂（瞬間重合形樹脂）によって接合し、支持部材を被研磨物装着部に設けたネジ穴に螺合させることにより、または、支持部材を被研磨物装着部に設けたクランプ手段によってクランプすることにより行っていた。
【００１０】
しかしながら、この構成によれば、研磨すべき歯科用補綴物の１つ１つに支持部材を接合し、さらに、歯科用補綴物を１つずつ被研磨物装着部に固定しなければならず、この作業に時間がかかり、非効率的であった。
また、支持部材を被研磨物装着部にクランプ固定する場合には、支持部材が確実に固定されず、研磨装置の動作中に、歯科用補綴物が研磨材との間に生じる摩擦力によって被研磨物装着部から脱落し、不良品が大量に生じてしまうことがしばしばであった。
【先行技術文献】
【特許文献】
【００１１】
【特許文献１】特開昭５９−１８２０５９号公報
【特許文献２】特開２００２−１２６９９１号公報
【特許文献３】特開２００５−３１９１３７号公報
【発明の概要】
【発明が解決しようとする課題】
【００１２】
したがって、本発明の課題は、不良研磨を生じさせることなく、効率的に歯科用補綴物を研磨することができる装置を提供することにある。
【課題を解決するための手段】
【００１３】
上記課題を解決するため、第１の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、下端開口が閉じられた筒状または角筒状に形成され、内部が研磨材で満たされた研磨槽と、前記研磨槽の外側に配置されたフレームと、前記研磨槽の上端開口を開閉し得る蓋体と、円柱状または角柱状に形成され、その中心軸を前記研磨槽の中心軸に一致させた状態で前記フレームに支持されるとともに、前記研磨槽が前記蓋体によって閉じられた状態で、前記蓋体に形成された開口から前記研磨槽内にのびて、その一部が前記研磨材中に埋没する鋳造物装着体と、前記蓋体または前記フレームまたはその両方に設けられ、前記研磨槽が前記蓋体によって閉じられた状態で、前記研磨槽および前記鋳造物装着体を前記中心軸のまわりに相対的に回転運動させる回転駆動機構と、前記鋳造物装着体の前記一部の外周面に設けられ、前記鋳造物を、前記土台および／または前記スプルー線部分において固定するための少なくとも１つの鋳造物固定手段と、を備えたものであることを特徴とする装置としたものである。
【００１４】
また、上記課題を解決するため、第２の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、下端開口が閉じられた筒状または角筒状に形成され、内部が研磨材で満たされた研磨槽と、前記研磨槽の上端開口を開閉し得る蓋体と、円柱状または角柱状に形成され、前記蓋体に取り付けられて前記蓋体の裏面から突出する鋳造物装着体と、を備え、前記鋳造物装着体は、その中心軸のまわりに回転可能になっているとともに、前記研磨槽が前記蓋体によって閉じられた状態で、前記研磨槽と同軸に配置され、かつ前記鋳造物装着体の一部が前記研磨材中に埋没するようになっており、前記蓋体に設けられ、前記鋳造物装着体をその中心軸のまわりに回転運動させる回転駆動機構と、前記鋳造物装着体の前記一部の外周面に設けられ、前記鋳造物を、前記土台および／または前記スプルー線部分において固定するための少なくとも１つの鋳造物固定手段と、を備えたものであることを特徴とする装置としたものである。
【００１５】
第１および第２の発明の好ましい実施例によれば、前記鋳造物固定手段は、少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、少なくとも、前記底壁の上面から前記鋳造物の前記土台の高さに対応する高さまでの領域において、前記底壁に対し前記一方の側壁に臨む方向に鋭角をなして傾斜し、さらに、前記ネジ穴に螺合するボルトと、前記ボルトの先端に前記ボルトの回転運動が伝達しないように取り付けられた拘束部材と、を備え、前記拘束部材は、前記他方の側壁の幅方向にのびる細長い板状または棒状部分と、前記板状または棒状部分の前記他方の側壁に対向する面にその長さ方向に間隔をあけて設けられ、前記鋳造物の前記スプール線部分の間に差し込まれる楔状または針状部分とからなり、前記鋳造物が前記土台の底面を下にして前記本体の底壁上に置かれた状態で、前記ボルトがねじ込まれ、前記鋳造物が、前記スプルー線部分および前記土台を、前記スプルー線部分の間に差し込まれた前記拘束部材と、前記他方の側壁との間にクランプされることにより、前記鋳造物装着体に固定されるようになっている。
【００１６】
第１および第２の発明の別の好ましい実施例によれば、前記鋳造物固定手段は、少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、前記底壁に対し前記一方の側壁に臨む方向に鋭角をなして傾斜しており、さらに、前記ネジ穴に螺合するボルトを備え、前記鋳造物が前記土台の底面を下にして前記鋳造物固定手段の前記本体の前記底壁上に置かれた状態で、前記ボルトがねじ込まれ、前記鋳造物が、前記土台を前記他方の側壁と前記ボルトとの間にクランプされることにより、前記鋳造物装着体に固定されるようになっている。
【００１７】
上記課題を解決するため、また、第３の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置の鋳造物装着部に取り付けて使用される鋳造物固定用アタッチメントであって、少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、少なくとも、前記底壁の上面から前記鋳造物の前記土台の高さに対応する高さまでの領域において、前記底壁に対し前記一方の側壁に臨む方向に鋭角をなして傾斜しており、さらに、前記ネジ穴に螺合するボルトと、前記ボルトの先端に前記ボルトの回転運動が伝達しないように取り付けられた拘束部材と、前記本体の前記底壁の下面に設けられた、前記研磨する装置の前記鋳造物装着部に対する取付部と、を備え、前記拘束部材は、前記他方の側壁の幅方向にのびる細長い板状または棒状部分と、前記板状または棒状部分の前記他方の側壁に対向する面にその長さ方向に間隔をあけて設けられ、前記鋳造物の前記スプール線部分の間に差し込まれる楔状または針状部分とからなり、前記取付部において前記鋳造物装着部に取り付けられた後、前記鋳造物が前記土台の底面を下にして前記本体の底壁上に置かれた状態で前記ボルトがねじ込まれ、前記鋳造物が、前記スプルー線部分および前記土台を、前記スプルー線部分の間に差し込まれた前記拘束部材と、前記他方の側壁との間にクランプされることにより、前記鋳造物装着部に固定されるものであることを特徴とする鋳造物固定用アタッチメントとしたものである。
【００１８】
また、上記課題を解決するため、第４の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置の鋳造物装着部に取り付けて使用される鋳造物固定用アタッチメントであって、少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、前記本体の他方の前記側壁は、前記底壁に対し前記一方の側壁に臨む方向に鋭角をなして傾斜しており、さらに、前記ネジ穴に螺合するボルトと、前記本体の前記底壁の下面に設けられた、前記研磨する装置の前記鋳造物装着部に対する取付部と、を備え、前記取付部において前記鋳造物装着部に取り付けられた後、前記鋳造物が前記土台の底面を下にして前記鋳造物固定手段の前記本体の前記底壁上に置かれた状態で前記ボルトがねじ込まれ、前記鋳造物が、前記土台を前記他方の側壁と前記ボルトとの間にクランプされることにより、前記鋳造物装着部に固定されるものであることを特徴とする鋳造物固定用アタッチメントとしたものである。
【００１９】
また、第５の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる少なくとも１つの鋳造物を、中心軸を有する装着手段に対し、前記土台および／または前記スプルー線部分において、前記歯科用補綴物が前記装着手段から突き出すように固定した後、前記鋳造物を、一端開口が閉じられた筒状または角筒状を有し、内部が研磨材で満たされた研磨槽内に埋没させ、かつ前記装着手段および前記研磨槽の中心軸同士を一致させた状態で、前記装着手段および前記研磨槽を当該中心軸のまわりに相対的に回転運動させ、この相対的な回転運動の間に、前記歯科用補綴物を前記研磨材によって研磨することを特徴とする方法としたものである。
【００２０】
第５の発明の好ましい実施例によれば、前記装着手段および前記研磨槽の前記相対的な回転運動を、静止させた前記装着手段に対して前記研磨槽を回転させることによって実行し、さらに、前記装着手段に固定した前記鋳造物を、前記装着手段の中心軸を横切り、かつ前記鋳造物の固定位置を貫通してのびる軸のまわりに回転運動させる。
第５の発明の別の好ましい実施例によれば、前記研磨槽を静止させておく一方、装着手段に固定した前記歯科用補綴物を前記研磨槽の中心軸のまわりに遊星運動させる。
第５の発明のさらに別の好ましい実施例によれば、前記鋳造物の前記装着手段への固定を、前記装着手段の外面に設けたクランプ手段によって行う。
【発明の効果】
【００２１】
本発明によれば、歯科用補綴物を、ロストワックス法で鋳造されたそのままの状態、すなわち、塊状の土台に植立された各スプルー線部分に接続された状態で研磨装置にセットし、一度に多数の歯科用補綴物を纏めた状態でセットするようにしたので、従来のように、歯科用補綴物を１つづつ研磨装置にセットする場合に比べて、作業効率が大幅に向上する。しかも、研磨装置への装着は、鋳造物の土台および／またはスプルー線部分において研磨装置に固定することによって行い、従来のように、各歯科用補綴物にピンまたはビス等の棒状の支持部材を樹脂接合する必要がなく、それによって、装着作業も非常に簡単かつ短時間に行える。また、鋳造物の土台および／またはスプルー線部分において固定するので、歯科用補綴物を、研磨中に研磨槽内に脱落させずに、確実に研磨することができる。そして、土台に植立させるスプルー線部分および歯科用補綴物の数をできるだけ多くすることによって、研磨作業の時間を大幅に短縮でき、例えば、従来は、手作業は１つの歯科用補綴物の研磨作業に約３分を要していたのが、本願発明によれば、１つの歯科用補綴物当たり４秒程度で研磨が行える。
【図面の簡単な説明】
【００２２】
【図１】（Ａ）は、本発明の１実施例による歯科用補綴物研磨装置の概略的な縦断面図であり、（Ｂ）は、（Ａ）に示した装置の変形例の主要部を示す概略的な縦断面図である。
【図２】図１Ａの研磨装置の鋳造物装着体に備えられる鋳造物固定手段の１例を示す図であり、（Ａ）は斜視図であり、（Ｂ）は側面図である。
【図３】図１Ａの研磨装置の鋳造物装着体に備えられる鋳造物固定手段の１例を示す図であり、（Ａ）は平面図であり、（Ｂ）および（Ｃ）は側面図である。
【図４】図３の鋳造物固定手段の拘束部材の変形例を示す図であり、（Ａ）は平面図であり、（Ｂ）は（Ａ）の矢印Ｘ方向に見た正面図である。
【図５】鋳造物固定手段の鋳造物装着体への取付方法の１例を示す図であり、（Ａ）は補助アタッチメントの斜視図であり、（Ｂ）は鋳造物固定手段を鋳造物装着体に取り付けた状態の側断面図である。
【図６】鋳造物固定手段の鋳造物装着体への取付方法の別の例を示す側断面図である。
【図７】歯科用補綴物をロストワックス法によって鋳造した場合に形成される鋳造物の１例を示した斜視図である。
【発明を実施するための形態】
【００２３】
以下、添付図面を参照して本発明の好ましい実施例を説明する。図１Ａは、本発明の１実施例による歯科用補綴物研磨装置の概略的な縦断面図であり、図２は、図１Ａの研磨装置の鋳造物装着体に備えられる鋳造物固定手段の１例を示す図であり、図２Ａは斜視図であり、図２Ｂは側面図である。
本発明の歯科用補綴物研磨装置は、図７に示したような、ロストワックス法によって鋳造したものであって、底面、および底面の外周縁から上向きに先細り状にのびる斜面、および斜面に接続する上面を有する塊状の土台と、土台の上面に植立された複数本のスプルー線部分と、スプルー線部分の先端に接続された歯科用補綴物（クラウン、インレー、ブリッジおよびクラスプ等）と、からなる鋳造物における歯科用補綴物を研磨するように適合せしめられている。
【００２４】
図１Ａおよび図２を参照して、本発明の研磨装置は、下端開口が閉じられた筒状に形成され、内部が研磨材Ｇで満たされた研磨槽１と、研磨槽１の外側に配置されたフレーム２を備えている。研磨槽１は、この実施例では下端開口が閉じられた筒状を有しているが、下端開口が閉じられた角筒状を有していてもよい。
【００２５】
フレーム２の一部は、基台２ａを形成しており、基台２ａの上面には、研磨槽１が載置されるターンテーブル３が配置されている。ターンテーブル３は、研磨槽１の底面の形状に対応した形状を有している。
ターンテーブル３は周縁に一定高さの壁３ａを有し、また、ターンテーブル３の下面中央には回転軸３ｂが突設され、回転軸３ｂは、基台２ａに対し軸受４を介して軸まわりに回転可能に取り付けられている。さらに、軸受４から下方にのびる回転軸３ｂの下端には、プーリー３ｃが固定されている。
【００２６】
また、基台２ａの上面には、モータ５が取り付けられ、その駆動軸５ａは、基台２ａの上面に形成された開口を貫通して下向きにのびている。また、駆動軸５ａの先端には、プーリー５ｂが固定され、このプーリー５ｂと、ターンテーブル３の回転軸３ｂのプーリー３ｃとの間にエンドレスベルト６が掛け渡されている。
こうして、モータ５の駆動力がエンドレスベルト６によってターンテーブル３の回転軸３ｂに伝達され、ターンテーブル３が水平面内で回転運動する。
【００２７】
研磨槽１の上端開口は、蓋体７によって開閉され得るようになっている。蓋体７の中央には開口７ａが設けられている。また、蓋体７の周縁の一定間隔をあけた複数の位置にはフック７ａが設けられ、蓋体７から下向きに研磨槽１の側壁外面に沿ってのびている。
また、ターンテーブル３の周壁３ａの外面には、フック７ａと対をなす止め金具３ｄが取り付けられている。
そして、研磨槽１をターンテーブル３上に置き、研磨槽１に蓋体７を取り付けた後、フック７ａに止め金具３ｄを係合させることによって、研磨槽１をターンテーブル３に固定するようになっている。
【００２８】
基台２ａの上面におけるターンテーブル３から間隔をあけた位置には、フレーム２の一部を形成する複数の支柱２ｂが取り付けられている。これらの支柱２ｂの上端には、フレーム２の一部を形成する支持プレート２ｃがネジ８によって着脱自在に取り付けられている。
【００２９】
支持プレート２ｃの下面には、円柱状または角柱状の鋳造物装着体９が、その中心軸を研磨槽１の中心軸に一致させた状態で取り付けられ、蓋体７の開口７ａから研磨槽１内にのびて、その一部を研磨材Ｇ中に埋没させるようになっている。
【００３０】
鋳造物装着体９の研磨材Ｇ中に埋没する部分の外周面には、鋳造物を、土台および／またはスプルー線部分において固定するための鋳造物固定手段１０が少なくとも１つ取り付けられている。
鋳造物固定手段１０は、図２に示すように、矩形平板状の底壁１１、および底壁１１の一対の短辺のそれぞれに沿って設けられ、底壁１１の上面から起立した平板状の側壁１２ａ、１２ｂからなる本体１３を備えている。そして、一方の側壁１２ａは、底壁１１に対してほぼ直角に起立している一方、他方の側壁１２ｂは、底壁１１に対し一方の側壁１２ａに臨む方向に鋭角をなして傾斜している。この場合、一方の側壁１２ａは、他方の側壁１２ｂと同様に傾斜していてもよい。
【００３１】
また、この実施例では、底壁１１は矩形平板状であるが、底壁１１の形状はこれに限定されず、底壁１１は、少なくとも１対の平行な対辺を有する平板状に形成されておればよい。この場合、側壁１２ａ、１２ｂは、底壁の平行な対辺のそれぞれに沿って設けられ、底壁１１の上面から起立する。
【００３２】
一方の側壁１２ａには、底壁１１の上面に平行にのびるネジ穴が設けられる。この実施例では、ネジ穴は、側壁１２ａに設けた貫通孔に固定されたナット１４のネジ穴からなっている。このネジ穴には、これと対をなすボルト１５が螺合している。
【００３３】
本体１３の底壁１１には、複数の取付穴１１ａが設けられている。一方、鋳造物装着体９の外周面上には、鋳造物固定手段１０を取り付けるための平坦な固定面９ａが設けられ、この固定面９ａに鋳造物固定手段１０の本体１３の取付穴１１ａに対応するネジ穴９ｂが設けられている。そして、鋳造物固定手段１０の本体１３の取付穴１１ａと固定面９ａのネジ穴９ｂが整合した状態で、ネジ穴９ｂにネジ１６がねじ込まれることにより、鋳造物固定手段１０が鋳造物装着体９に取り付けられる。
【００３４】
そして、鋳造物３０が土台３１の底面を下にして鋳造物固定手段１０の本体１３の底壁１１上に置かれた状態でボルト１５がねじ込まれ、鋳造物３０が、土台３１を側壁１２ｂとボルト１５との間にクランプされることにより、鋳造物装着体９に固定される（図２Ｂ参照）。この場合、鋳造物３０の土台３１に、ボルト１５の先端を受ける凹部を設けておけば、鋳造物３０の固定をより確実に行うことができる。
【００３５】
上述の実施例では、鋳造物固定手段１０が鋳造物３０を土台３１においてクランプ固定する構成としたが、鋳造物固定手段１０が鋳造物３０を土台３１およびスプルー線部分３２においてクランプ固定する構成とすることもできる。後者の実施例を図３および図４に示した。
【００３６】
図３は、鋳造物固定手段の別の実施例を示した図であり、図３Ａは平面図であり、図３Ｂおよび図３Ｃは側面図である。図３に示した実施例は、ボルトの先端にボルトの回転運動が伝達しないように取り付けられた拘束部材を備えた点と、ボルトの締め付けを支援する補助ピンを備えた点が、図２に示した実施例と異なる。よって、図３中、図２に示したものと同じ構成要素には同一番号を付し、以下では、それらの詳細な説明を省略する。
【００３７】
図３に示すように、拘束部材１８は、本体１３の側壁１２ｂの幅方向にのびる細長い板状または棒状部分１７ａと、板状または棒状部分１７ａにおける側壁１２ｂに対向する面にその長さ方向に間隔をあけて設けられ、鋳造物３０のスプール線部分３２の間に差し込まれる楔状部分１７ｂとからなっている。
この場合、板状または棒状部分１７ａは、ボルト１５の先端に対向する面に、板状または棒状部分１７ａの本体に対してボルト１５の軸の延長線のまわりに回転可能に設けられた連結部１７ｃを有しており、連結部１７ｃには、ボルト１５と対をなすネジ穴（図示はしない）が設けられる。そして、連結部１７ｃのネジ穴にボルト１５の先端部がねじ込まれることによって、拘束部材１８がボルト１５に取り付けられる。
【００３８】
また、ボルト１５の頭部近傍の軸部分には、中心軸を直角に横切る貫通穴が設けられ、この貫通穴に、一定の長さの補助ピン１９が差し込まれるようになっている。補助ピン１９を用いることによって、ボルト１５を容易に締め付けまたは緩めることができる。
【００３９】
そして、鋳造物３０が土台３１の底面を下にして本体１３の底壁１１上に置かれた状態で、ボルト１５がねじ込まれ、鋳造物３０が、土台３１およびスプルー線部分３２を、スプルー線部分３２の間に差し込まれた拘束部材１８と、側壁１２ｂとの間にクランプされることにより、鋳造物装着体９に固定される（図３Ｃ参照）。
なお、この実施例では、本体１３の側壁１２ｂが、底壁１１に対し鋭角をなして傾斜しているが、側壁１２ｂは、少なくとも、底壁１１の上面から鋳造物３０の土台３１の高さに対応する高さまでの領域において傾斜しておればよく、この傾斜した領域から上方の領域が、例えば、側壁１２ａと平行にのびていてもよい（図５Ｂ参照）。
【００４０】
図４は、図３に示した拘束部材の変形例を示した図であり、図４Ａは平面図であり、図４Ｂは図４Ａの矢印Ｘ方向に見た正面図である。図４中、図３に示したものと同じ構成要素には同一番号を付し、以下では、それらの詳細な説明を省略する。
図４を参照して、この変形例では、拘束部材１８’は、板状または棒状部分１７ａと、板状または棒状部分１７ａにおける側壁１２ｂに対向する面に、その長さ方向に間隔をあけて配置された複数の針状部分２０とからなっている。
【００４１】
この実施例では、針状部分２０は、板状または棒状部分１７ａの高さ方向に２段にわたって配列されており、針状部分２０の下段の列は、針状部分２０の上段の列より半ピッチずれている。
この実施例の場合においても、図３の実施例と同様、鋳造物３０が土台３１の底面を下にして本体１３の底壁１１上に置かれた状態で、ボルト１５がねじ込まれ、鋳造物３０が、土台３１およびスプルー線部分３２を、スプルー線部分３２の間に差し込まれた拘束部材１８’と、側壁１２ｂとの間にクランプされることにより、鋳造物装着体９に固定される。
【００４２】
次に、本発明の研磨装置の使用方法を説明する。使用前、研磨装置の、鋳造物装着体９が固定された支持プレート２ｃは、支柱２ｂから取り外された状態にある。そして、研磨槽１がターンテーブル３上に置かれ、研磨槽１に蓋体７が取り付けられた後、フック７ａに止め金具３ｄが係合せしめられることによって、研磨槽１がターンテーブル３に固定される。次いで、鋳造物装着体９の各鋳造物固定手段１０に、研磨すべき鋳造物３０が固定され、その後、支持プレート３ｃが支柱２ｂにネジ８によって固定されるとともに、鋳造物装着体９に装着された各鋳造物３０が研磨材Ｇ中に埋没せしめられる。この場合、鋳造物装着体９における、支持プレート２ａと鋳造物固定手段１０との間には、補助蓋７ｂが鋳造物装着体９との間に遊びを伴った状態で取り付けられ、支持プレート３ｃが支柱２ｂに固定された状態で、補助蓋７ｂが蓋体７の上面に載置され、蓋体７の開口７ａを閉じるようになっている。
その後、モータ５が起動されて、研磨槽１がターンテーブル３とともに回転し、それによって、鋳造物３０が研磨材Ｇによって研磨される。一定時間経過後、モータ５が停止せしめられ、支持プレート３ｃが支柱２ｂから取り外され、鋳造物装着体９から、研磨された鋳造物３０が取り外される。
【００４３】
こうして、本発明の研磨装置によれば、歯科用補綴物３３を、ロストワックス法で鋳造されたそのままの状態、すなわち、塊状の土台３１に植立された各スプルー線部分３２に接続された状態で、研磨装置にセットし、一度に多数の歯科用補綴物を纏めた状態でセットするようにしたので、従来のように、歯科用補綴物を１つづつ研磨装置にセットする場合に比べて、作業効率が大幅に向上する。しかも、研磨装置への装着は、鋳造物３０の土台３１および／またはスプルー線部分３２において研磨装置に固定することによって行い、従来のように、各歯科用補綴物にピンまたはビス等の棒状の支持部材を樹脂接合する必要がなく、それによって、装着作業も非常に簡単かつ短時間に行える。また、鋳造物３０の土台３１および／またはスプルー線部分３２において固定するので、歯科用補綴物３３を、研磨中に研磨槽１内に脱落させることなく、確実に固定して研磨することができる。そして、土台に植立させるスプルー線部分および歯科用補綴物の数をできるだけ多くすることによって、研磨作業の時間を大幅に短縮することができる。
【００４４】
以上、本発明をいくつかの好ましい実施例に基づいて説明したが、本発明の構成はこれらの実施例に限定されるものではない。
例えば、上述の実施例では、静止した鋳造物装着体９に対して研磨槽１が回転する構成としているが、鋳造物装着体９および研磨槽１は相対的に回転するようになっておればよく、例えば、鋳造物装着体９と研磨槽１が互いに逆向きに回転する構成としてもよいし、静止した研磨槽１に対して鋳造物装着体９が回転する構成としてもよい。
【００４５】
また、図１Ａの実施例において、さらに、鋳造物固定手段１０を、鋳造物装着体９の中心軸を横切り、かつ当該鋳造物固定手段１０の固定位置を貫通してのびる軸のまわりに回転運動させる構成としてもよい。
図１Ｂは、かかる構成を備えた実施例の主要部を示す縦断面図である。なお、図１Ｂ中、図１Ａに示したものと同じ構成要素には、同一番号を付し、以下では、それらの詳細な説明を省略する。
【００４６】
図１Ｂを参照して、この実施例では、鋳造物装着体９’の内部に、垂直な回転軸２１が、鋳造物装着体９’と同軸に配置され、鋳造物装着体９’によって軸まわりに回転可能に支持されており、垂直な回転軸２１の下端には第１の傘歯車２２が固定されている。また、第１の傘歯車２２の下方に、水平な回転軸２３が、鋳造物装着体９’を貫通してのび、鋳造物装着体９’によって軸まわりに回転可能に支持され、水平な回転軸２３には、第１の傘歯車２２に係合する第２の傘歯車２４が固定されている。さらに、支持プレート２ｂの上面に第２のモータ２５が固定され、第２のモータ２５の駆動軸２５ａは、鋳造物装着体９７と同軸に配置され、かつ支持プレート２ｂから突出して垂直な回転軸２１に連結されている。
【００４７】
また、水平な回転軸２３の先端には、鋳造物固定手段１０”が取り付けられている。そして、研磨槽１がターンテーブル３とともに回転する間に、第２のモータ２５が起動されて、水平な回転軸２３が回転し、その結果、鋳造物固定手段１０”が、鋳造物装着体９’の中心軸に直交する軸のまわりに回転運動する。
【００４８】
この実施例の場合、鋳造物固定手段１０”の水平な回転軸２３への取付は、次のようにしてなされる。
まず、図５Ａに示すように、水平な回転軸２３の先端面から間隔をあけた位置に、水平な回転軸２３の中心軸を直角に横切る貫通穴２３ａが設けられる。また、水平な回転軸２３の先端部には、筒状の補助アタッチメント２６が嵌め込まれる。補助アタッチメント２６は、一端側の周壁に、水平な回転軸２３の貫通穴２３ａに対応する一対の穴２６ｂを有し、他端側の周壁の外面には、水平な回転軸２３の回転の向きと逆向きのネジ山２６ａを有している。
【００４９】
そして、図５Ｂに示すように、補助アタッチメント２６が水平な回転軸２３の先端部に嵌め込まれ、補助アタッチメント２６の穴２６ｂと水平な回転軸２３の貫通穴２３ａが整合した状態で、これらの穴２３ａ、２６ｂに止めピン２７が差し込まれることによって、補助アタッチメント２６が水平な回転軸２３にこれと一体に回転するように固定される。
さらに、鋳造物固定手段１０”の底壁１１の下面には、取付部２８が設けられ、取付部２８には、補助アタッチメント２６の外径に対応する内径を有し、ネジ山２６ａと対をなすネジ溝２８ｂを備えた取付孔２８ａが形成されている。そして、鋳造物固定手段１０”の取付部２８が補助アタッチメント２６にねじ込まれることによって、鋳造物固定手段１０”が水平な回転軸２３に固定される。
【００５０】
勿論、この場合、補助アタッチメント２６を使用せずに、図６Ａに示すように、水平な回転軸２３の先端部の外周面に、予め、水平な回転軸２３の回転の向きと逆向きのネジ山２３ｂを設け、このネジ山２３ｂに、鋳造物固定手段１０”の取付部２８を直接ねじ込むことによって、鋳造物固定手段１０”を水平な回転軸２３に固定してもよい。あるいは、図６Ｂに示すように、鋳造物固定手段１０’”の底壁１１の下面に、水平な回転軸２３の外径に対応する内径を有する筒状の取付部２９を突設し、この取付部２９の周壁には回転軸２３の貫通穴２３ａに対応する一対の穴を形成しておき、取付部２９を回転軸２３の先端部に嵌め込むとともに、回転軸２３の貫通穴２３ａと取付部２９の穴が整合した状態でこれらの穴に止めピン２７を差し込むことによって、鋳造物固定手段１０’”を回転軸２３に固定してもよい。
【００５１】
また、本願発明の研磨装置は、上記歯科用補綴物と同様の形態を有するその他の鋳金物、すなわち、土台に複数のものが植立されているような他の鋳金物の研磨にも使用することができることは言うまでもない。
【符号の説明】
【００５２】
１  研磨槽
２  フレーム
２ａ  基台
２ｂ  支柱
２ｃ  支持プレート
３  ターンテーブル
３ａ  周壁
３ｂ  回転軸
３ｃ  プーリー
３ｄ  止め金具
４  軸受
５  モータ
５ａ  駆動軸
５ｂ  プーリー
６  エンドレスベルト
７  蓋体
７ａ  開口
７ｂ  フック
７ｃ  補助蓋
８  ネジ
９、９’  鋳造物装着体
９ａ  固定面
９ｂ  ネジ穴
１０、１０’、１０”、１０’”  鋳造物固定手段
１１  底壁
１２ａ、１２ｂ  側壁
１３  鋳造物固定手段の本体
１４  ナット
１５  ボルト
１６  ネジ
１７ａ  板状または棒状部分
１７ｂ  楔状部分
１７ｃ  連結部
１８、１８’、１８”  拘束部材
１９  補助ピン
２０  針状部分
２１  垂直な回転軸
２２  第１の傘歯車
２３  水平な回転軸
２３ａ  貫通穴
２３ｂ  ネジ山
２４  第２の傘歯車
２５  第２のモータ
２５ａ  駆動軸
２６  補助アタッチメント
２６ａ  ネジ山
２６ｂ  穴
２７  止めピン
２８  取付部
２８ａ  取付孔
２８ｂ  ネジ溝
２９  取付部
３０  鋳造物
３１  土台
３１ａ  底面
３１ｂ  斜面
３１ｃ  上面
３２  スプルー線部分
３３  歯科用補綴物
Ｇ  研磨材
【図１】
2014087390.tif 000003
【図２】
2014087390.tif 000004
【図３】
2014087390.tif 000005
【図４】
2014087390.tif 000006
【図５】
2014087390.tif 000007
【図６】
2014087390.tif 000008
【図７】
2014087390.tif 000009
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、
下端開口が閉じられた筒状または角筒状に形成され、内部が研磨材で満たされた研磨槽と、
前記研磨槽の外側に配置されたフレームと、
前記研磨槽の上端開口を開閉し得る蓋体と、
円柱状または角柱状に形成され、その中心軸を前記研磨槽の中心軸に一致させた状態で前記フレームに支持されるとともに、前記研磨槽が前記蓋体によって閉じられた状態で、前記蓋体に形成された開口から前記研磨槽内にのびて、その一部が前記研磨材中に埋没する鋳造物装着体と、
前記蓋体または前記フレームまたはその両方に設けられ、前記研磨槽が前記蓋体によって閉じられた状態で、前記研磨槽および前記鋳造物装着体を前記中心軸のまわりに相対的に回転運動させる回転駆動機構と、
前記鋳造物装着体の前記一部の外周面に設けられ、前記鋳造物を、前記土台および／または前記スプルー線部分において固定するための少なくとも１つの鋳造物固定手段と、を備え、
前記鋳造物固定手段は、
少なくとも１対の平行な対辺を有する平板状の底壁、および前記底壁の前記平行な対辺のそれぞれに沿って設けられ、前記底壁の上面から起立した平板状の側壁からなる本体を備え、
前記本体の一方の前記側壁には、前記底壁の上面に平行にのびるネジ穴が設けられ、他方の前記側壁は、少なくとも、前記底壁の上面から前記鋳造物の前記土台の高さに対応する高さまでの領域において、前記底壁に対し前記一方の側壁に臨む方向に鋭角をなして傾斜しており、さらに、
前記ネジ穴に螺合するボルトと、
前記ボルトの先端に前記ボルトの回転運動が伝達しないように取り付けられた拘束部材と、を備え、
前記拘束部材は、前記他方の側壁の幅方向にのびる細長い板状または棒状部分と、前記板状または棒状部分の前記他方の側壁に対向する面にその長さ方向に間隔をあけて設けられ、前記鋳造物の前記スプール線部分の間に差し込まれる楔状または針状部分とからなり、前記鋳造物が前記土台の底面を下にして前記本体の底壁上に置かれた状態で、前記ボルトがねじ込まれ、前記鋳造物が、前記スプルー線部分および前記土台を、前記スプルー線部分の間に差し込まれた前記拘束部材と、前記他方の側壁との間にクランプされることにより、前記鋳造物装着体に固定されることを特徴とする装置。
【請求項２】
ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、
下端開口が閉じられた筒状または角筒状に形成され、内部が研磨材で満たされた研磨槽と、
前記研磨槽の上端開口を開閉し得る蓋体と、
円柱状または角柱状に形成され、前記蓋体に取り付けられて前記蓋体の裏面から突出する鋳造物装着体と、を備え、前記鋳造物装着体は、その中心軸のまわりに回転可能になっているとともに、前記研磨槽が前記蓋体によって閉じられた状態で、前記研磨槽と同軸に配置され、かつ前記鋳造物装着体の一部が前記研磨材中に埋没するようになっており、
前記蓋体に設けられ、前記鋳造物装着体をその中心軸のまわりに回転運動させる回転駆動機構と、
前記鋳造物装着体の前記一部の外周面に設けられ、前記鋳造物を、前記土台および／または前記スプルー線部分において固定するための少なくとも１つの鋳造物固定手段と、を備え、
前記鋳造物固定手段は、
少なくとも１対の平行な対辺を有する平板状の底壁、および前記底壁の前記平行な対辺のそれぞれに沿って設けられ、前記底壁の上面から起立した平板状の側壁からなる本体を備え、
前記本体の一方の前記側壁には、前記底壁の上面に平行にのびるネジ穴が設けられ、他方の前記側壁は、少なくとも、前記底壁の上面から前記鋳造物の前記土台の高さに対応する高さまでの領域において、前記底壁に対し前記一方の側壁に臨む方向に鋭角をなして傾斜しており、さらに、
前記ネジ穴に螺合するボルトと、
前記ボルトの先端に前記ボルトの回転運動が伝達しないように取り付けられた拘束部材と、を備え、
前記拘束部材は、前記他方の側壁の幅方向にのびる細長い板状または棒状部分と、前記板状または棒状部分の前記他方の側壁に対向する面にその長さ方向に間隔をあけて設けられ、前記鋳造物の前記スプール線部分の間に差し込まれる楔状または針状部分とからなり、前記鋳造物が前記土台の底面を下にして前記本体の底壁上に置かれた状態で、前記ボルトがねじ込まれ、前記鋳造物が、前記スプルー線部分および前記土台を、前記スプルー線部分の間に差し込まれた前記拘束部材と、前記他方の側壁との間にクランプされることにより、前記鋳造物装着体に固定されることを特徴とする装置。
【請求項３】
ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置の鋳造物装着部に取り付けて使用される鋳造物固定用アタッチメントであって、
少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、少なくとも、前記底壁の上面から前記鋳造物の前記土台の高さに対応する高さまでの領域において、前記底壁に対し前記一方の側壁に臨む方向に鋭角をなして傾斜しており、さらに、
前記ネジ穴に螺合するボルトと、
前記ボルトの先端に前記ボルトの回転運動が伝達しないように取り付けられた拘束部材と、
前記本体の前記底壁の下面に設けられた、前記研磨する装置の前記鋳造物装着部に対する取付部と、を備え、
前記拘束部材は、前記他方の側壁の幅方向にのびる細長い板状または棒状部分と、前記板状または棒状部分の前記他方の側壁に対向する面にその長さ方向に間隔をあけて設けられ、前記鋳造物の前記スプール線部分の間に差し込まれる楔状または針状部分とからなり、
前記取付部において前記鋳造物装着部に取り付けられた後、前記鋳造物が前記土台の底面を下にして前記本体の底壁上に置かれた状態で前記ボルトがねじ込まれ、前記鋳造物が、前記スプルー線部分および前記土台を、前記スプルー線部分の間に差し込まれた前記拘束部材と、前記他方の側壁との間にクランプされることにより、前記鋳造物装着部に固定されるものであることを特徴とする鋳造物固定用アタッチメント。
【請求項４】
ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、
下端開口が閉じられた筒状または角筒状に形成され、内部が研磨材で満たされた研磨槽と、
前記研磨槽の外側に配置されたフレームと、
前記研磨槽の上端開口を開閉し得る蓋体と、
円柱状または角柱状に形成され、その中心軸を前記研磨槽の中心軸に一致させた状態で前記フレームに支持されるとともに、前記研磨槽が前記蓋体によって閉じられた状態で、前記蓋体に形成された開口から前記研磨槽内にのびて、その一部が前記研磨材中に埋没する鋳造物装着体と、
前記蓋体または前記フレームまたはその両方に設けられ、前記研磨槽が前記蓋体によって閉じられた状態で、前記研磨槽および前記鋳造物装着体を前記中心軸のまわりに相対的に回転運動させる回転駆動機構と、
前記鋳造物装着体の前記一部の外周面に設けられ、前記鋳造物を、前記土台および／または前記スプルー線部分において固定するための少なくとも１つの鋳造物固定手段と、を備え、
前記鋳造物固定手段は、
少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、前記底壁に対し前記一方の側壁に臨む方向に鋭角をなして傾斜しており、さらに、
前記ネジ穴に螺合するボルトを備え、
前記鋳造物が前記土台の底面を下にして前記鋳造物固定手段の前記本体の前記底壁上に置かれた状態で前記ボルトがねじ込まれ、前記鋳造物が、前記土台を前記他方の側壁と前記ボルトとの間にクランプされることにより、前記鋳造物装着体に固定されることを特徴とする装置。
【請求項５】
ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、
下端開口が閉じられた筒状または角筒状に形成され、内部が研磨材で満たされた研磨槽と、
前記研磨槽の上端開口を開閉し得る蓋体と、
円柱状または角柱状に形成され、前記蓋体に取り付けられて前記蓋体の裏面から突出する鋳造物装着体と、を備え、前記鋳造物装着体は、その中心軸のまわりに回転可能になっているとともに、前記研磨槽が前記蓋体によって閉じられた状態で、前記研磨槽と同軸に配置され、かつ前記鋳造物装着体の一部が前記研磨材中に埋没するようになっており、
前記蓋体に設けられ、前記鋳造物装着体をその中心軸のまわりに回転運動させる回転駆動機構と、
前記鋳造物装着体の前記一部の外周面に設けられ、前記鋳造物を、前記土台および／または前記スプルー線部分において固定するための少なくとも１つの鋳造物固定手段と、を備え、
前記鋳造物固定手段は、
少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、前記底壁に対し前記一方の側壁に臨む方向に鋭角をなして傾斜しており、さらに、
前記ネジ穴に螺合するボルトを備え、
前記鋳造物が前記土台の底面を下にして前記鋳造物固定手段の前記本体の前記底壁上に置かれた状態で前記ボルトがねじ込まれ、前記鋳造物が、前記土台を前記他方の側壁と前記ボルトとの間にクランプされることにより、前記鋳造物装着体に固定されることを特徴とする装置。
【請求項６】
ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置の鋳造物装着部に取り付けて使用される鋳造物固定用アタッチメントであって、
少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、前記底壁に対し前記一方の側壁に臨む方向に鋭角をなして傾斜しており、さらに、
前記ネジ穴に螺合するボルトと、
前記本体の前記底壁の下面に設けられた、前記研磨する装置の前記鋳造物装着部に対する取付部と、を備え、
前記取付部において前記鋳造物装着部に取り付けられた後、前記鋳造物が前記土台の底面を下にして前記鋳造物固定手段の前記本体の前記底壁上に置かれた状態で前記ボルトがねじ込まれ、前記鋳造物が、前記土台を前記他方の側壁と前記ボルトとの間にクランプされることにより、前記鋳造物装着部に固定されるものであることを特徴とする鋳造物固定用アタッチメント。
【手続補正２】
【補正対象書類名】明細書
【補正対象項目名】００１３
【補正方法】変更
【補正の内容】
【００１３】
上記課題を解決するため、第１の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、下端開口が閉じられた筒状または角筒状に形成され、内部が研磨材で満たされた研磨槽と、前記研磨槽の外側に配置されたフレームと、前記研磨槽の上端開口を開閉し得る蓋体と、円柱状または角柱状に形成され、その中心軸を前記研磨槽の中心軸に一致させた状態で前記フレームに支持されるとともに、前記研磨槽が前記蓋体によって閉じられた状態で、前記蓋体に形成された開口から前記研磨槽内にのびて、その一部が前記研磨材中に埋没する鋳造物装着体と、前記蓋体または前記フレームまたはその両方に設けられ、前記研磨槽が前記蓋体によって閉じられた状態で、前記研磨槽および前記鋳造物装着体を前記中心軸のまわりに相対的に回転運動させる回転駆動機構と、前記鋳造物装着体の前記一部の外周面に設けられ、前記鋳造物を、前記土台および／または前記スプルー線部分において固定するための少なくとも１つの鋳造物固定手段と、を備え、前記鋳造物固定手段は、少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、少なくとも、前記底壁の上面から前記鋳造物の前記土台の高さに対応する高さまでの領域において、前記底壁に対し前記一方の側壁に臨む方向に鋭角をなして傾斜し、さらに、前記ネジ穴に螺合するボルトと、前記ボルトの先端に前記ボルトの回転運動が伝達しないように取り付けられた拘束部材と、を備え、前記拘束部材は、前記他方の側壁の幅方向にのびる細長い板状または棒状部分と、前記板状または棒状部分の前記他方の側壁に対向する面にその長さ方向に間隔をあけて設けられ、前記鋳造物の前記スプール線部分の間に差し込まれる楔状または針状部分とからなり、前記鋳造物が前記土台の底面を下にして前記本体の底壁上に置かれた状態で、前記ボルトがねじ込まれ、前記鋳造物が、前記スプルー線部分および前記土台を、前記スプルー線部分の間に差し込まれた前記拘束部材と、前記他方の側壁との間にクランプされることにより、前記鋳造物装着体に固定されることを特徴とする装置としたものである。
【手続補正３】
【補正対象書類名】明細書
【補正対象項目名】００１４
【補正方法】変更
【補正の内容】
【００１４】
また、上記課題を解決するため、第２の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、下端開口が閉じられた筒状または角筒状に形成され、内部が研磨材で満たされた研磨槽と、前記研磨槽の上端開口を開閉し得る蓋体と、円柱状または角柱状に形成され、前記蓋体に取り付けられて前記蓋体の裏面から突出する鋳造物装着体と、を備え、前記鋳造物装着体は、その中心軸のまわりに回転可能になっているとともに、前記研磨槽が前記蓋体によって閉じられた状態で、前記研磨槽と同軸に配置され、かつ前記鋳造物装着体の一部が前記研磨材中に埋没するようになっており、前記蓋体に設けられ、前記鋳造物装着体をその中心軸のまわりに回転運動させる回転駆動機構と、前記鋳造物装着体の前記一部の外周面に設けられ、前記鋳造物を、前記土台および／または前記スプルー線部分において固定するための少なくとも１つの鋳造物固定手段と、を備え、前記鋳造物固定手段は、少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、少なくとも、前記底壁の上面から前記鋳造物の前記土台の高さに対応する高さまでの領域において、前記底壁に対し前記一方の側壁に臨む方向に鋭角をなして傾斜し、さらに、前記ネジ穴に螺合するボルトと、前記ボルトの先端に前記ボルトの回転運動が伝達しないように取り付けられた拘束部材と、を備え、前記拘束部材は、前記他方の側壁の幅方向にのびる細長い板状または棒状部分と、前記板状または棒状部分の前記他方の側壁に対向する面にその長さ方向に間隔をあけて設けられ、前記鋳造物の前記スプール線部分の間に差し込まれる楔状または針状部分とからなり、前記鋳造物が前記土台の底面を下にして前記本体の底壁上に置かれた状態で、前記ボルトがねじ込まれ、前記鋳造物が、前記スプルー線部分および前記土台を、前記スプルー線部分の間に差し込まれた前記拘束部材と、前記他方の側壁との間にクランプされることにより、前記鋳造物装着体に固定されることを特徴とする装置としたものである。
【手続補正４】
【補正対象書類名】明細書
【補正対象項目名】００１５
【補正方法】変更
【補正の内容】
【００１５】
上記課題を解決するため、また、第３の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置の鋳造物装着部に取り付けて使用される鋳造物固定用アタッチメントであって、少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、少なくとも、前記底壁の上面から前記鋳造物の前記土台の高さに対応する高さまでの領域において、前記底壁に対し前記一方の側壁に臨む方向に鋭角をなして傾斜しており、さらに、前記ネジ穴に螺合するボルトと、前記ボルトの先端に前記ボルトの回転運動が伝達しないように取り付けられた拘束部材と、前記本体の前記底壁の下面に設けられた、前記研磨する装置の前記鋳造物装着部に対する取付部と、を備え、前記拘束部材は、前記他方の側壁の幅方向にのびる細長い板状または棒状部分と、前記板状または棒状部分の前記他方の側壁に対向する面にその長さ方向に間隔をあけて設けられ、前記鋳造物の前記スプール線部分の間に差し込まれる楔状または針状部分とからなり、前記取付部において前記鋳造物装着部に取り付けられた後、前記鋳造物が前記土台の底面を下にして前記本体の底壁上に置かれた状態で前記ボルトがねじ込まれ、前記鋳造物が、前記スプルー線部分および前記土台を、前記スプルー線部分の間に差し込まれた前記拘束部材と、前記他方の側壁との間にクランプされることにより、前記鋳造物装着部に固定されるものであることを特徴とする鋳造物固定用アタッチメントとしたものである。
【手続補正５】
【補正対象書類名】明細書
【補正対象項目名】００１６
【補正方法】変更
【補正の内容】
【００１６】
上記課題を解決するため、また、第４の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、下端開口が閉じられた筒状または角筒状に形成され、内部が研磨材で満たされた研磨槽と、前記研磨槽の外側に配置されたフレームと、前記研磨槽の上端開口を開閉し得る蓋体と、円柱状または角柱状に形成され、その中心軸を前記研磨槽の中心軸に一致させた状態で前記フレームに支持されるとともに、前記研磨槽が前記蓋体によって閉じられた状態で、前記蓋体に形成された開口から前記研磨槽内にのびて、その一部が前記研磨材中に埋没する鋳造物装着体と、前記蓋体または前記フレームまたはその両方に設けられ、前記研磨槽が前記蓋体によって閉じられた状態で、前記研磨槽および前記鋳造物装着体を前記中心軸のまわりに相対的に回転運動させる回転駆動機構と、前記鋳造物装着体の前記一部の外周面に設けられ、前記鋳造物を、前記土台および／または前記スプルー線部分において固定するための少なくとも１つの鋳造物固定手段と、を備え、前記鋳造物固定手段は、少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、前記底壁に対し前記一方の側壁に臨む方向に鋭角をなして傾斜しており、さらに、前記ネジ穴に螺合するボルトを備え、前記鋳造物が前記土台の底面を下にして前記鋳造物固定手段の前記本体の前記底壁上に置かれた状態で、前記ボルトがねじ込まれ、前記鋳造物が、前記土台を前記他方の側壁と前記ボルトとの間にクランプされることにより、前記鋳造物装着体に固定されることを特徴とする装置としたものである。
【手続補正６】
【補正対象書類名】明細書
【補正対象項目名】００１７
【補正方法】変更
【補正の内容】
【００１７】
また、上記課題を解決するため、第５の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置であって、下端開口が閉じられた筒状または角筒状に形成され、内部が研磨材で満たされた研磨槽と、前記研磨槽の上端開口を開閉し得る蓋体と、円柱状または角柱状に形成され、前記蓋体に取り付けられて前記蓋体の裏面から突出する鋳造物装着体と、を備え、前記鋳造物装着体は、その中心軸のまわりに回転可能になっているとともに、前記研磨槽が前記蓋体によって閉じられた状態で、前記研磨槽と同軸に配置され、かつ前記鋳造物装着体の一部が前記研磨材中に埋没するようになっており、前記蓋体に設けられ、前記鋳造物装着体をその中心軸のまわりに回転運動させる回転駆動機構と、前記鋳造物装着体の前記一部の外周面に設けられ、前記鋳造物を、前記土台および／または前記スプルー線部分において固定するための少なくとも１つの鋳造物固定手段と、を備え、前記鋳造物固定手段は、少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、他方の前記側壁は、前記底壁に対し前記一方の側壁に臨む方向に鋭角をなして傾斜しており、さらに、前記ネジ穴に螺合するボルトを備え、前記鋳造物が前記土台の底面を下にして前記鋳造物固定手段の前記本体の前記底壁上に置かれた状態で、前記ボルトがねじ込まれ、前記鋳造物が、前記土台を前記他方の側壁と前記ボルトとの間にクランプされることにより、前記鋳造物装着体に固定されることを特徴とする装置としたものである。
【手続補正７】
【補正対象書類名】明細書
【補正対象項目名】００１８
【補正方法】変更
【補正の内容】
【００１８】
また、上記課題を解決するため、第６の発明は、ロストワックス法によって鋳造したものであって、底面、および前記底面の外周縁から上向きに先細り状にのびる斜面、および前記斜面に接続する上面を有する塊状の土台と、前記土台の上面に植立された複数本のスプルー線部分と、前記スプルー線部分の先端に接続された歯科用補綴物と、からなる鋳造物における前記歯科用補綴物を研磨する装置の鋳造物装着部に取り付けて使用される鋳造物固定用アタッチメントであって、少なくとも１対の平行な対辺を有する平板状の底壁、および前記底壁の前記平行な対辺のそれぞれに沿って設けられ、前記底壁の上面から起立した平板状の側壁からなる本体を備え、前記本体の一方の前記側壁には、前記底壁の上面に平行にのびるネジ穴が設けられ、前記本体の他方の前記側壁は、前記底壁に対し前記一方の側壁に臨む方向に鋭角をなして傾斜しており、さらに、前記ネジ穴に螺合するボルトと、前記本体の前記底壁の下面に設けられた、前記研磨する装置の前記鋳造物装着部に対する取付部と、を備え、前記取付部において前記鋳造物装着部に取り付けられた後、前記鋳造物が前記土台の底面を下にして前記鋳造物固定手段の前記本体の前記底壁上に置かれた状態で前記ボルトがねじ込まれ、前記鋳造物が、前記土台を前記他方の側壁と前記ボルトとの間にクランプされることにより、前記鋳造物装着部に固定されるものであることを特徴とする鋳造物固定用アタッチメントとしたものである。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】